(57)【要約】【課題】観賞魚用水槽内の壁面に着生する藻（苔）を、光合成作用を利用して抑制する観賞魚用水槽に使用する照明光波長制御具を提供する。【解決手段】観賞魚用水槽の照明装置の蛍光灯の照射光を使用して、色彩板を設けて、色彩版を透過した光が藻の育成に障害となる低発泡緑色ポリエチレン板、あるいは、緑色アクリル板を成形加工してＬ形固定の観賞魚用水槽に使用する照明光波長制御具を設けた。当該Ｌ形固定は一方に水槽内前面部と、他方は照明光波長制御板が設けてある。当該照明光波長制御板に蛍光灯を照射して透過させることで、観賞魚用水槽の水槽前面と観賞面の底に届く照明光により藻の育成を抑制する構成の照明光波長制御具である。【選択図】図１
2012039989.tif 000002
【特許請求の範囲】
【請求項１】
観賞魚用水槽内の壁面に着生する藻（苔）を、光合成作用を利用して抑制する観賞魚用水槽に使用する照明光波長制御具であって、当該照明光波長制御具（５０）は、藻の育成に障害となる波長５００〜６００ｎｍを得るために色彩板となる低発泡緑色ポリエチレン板あるいは、緑色アクリル板をＬ形固定に成形加工して観賞魚用水槽に使用する照明光波長制御具（５０）として設けて、当該Ｌ形に固定した観賞魚用水槽に使用する照明光波長制御具（５０）は、Ｌ形固定の一方を水槽内前面部（５１）と、他方を照明光波長制御板（５２）して設けて、水槽内前面部（５１）を観賞魚用水槽（１００）の観賞面（９０）の前面上部に保持して取り付け、他方の照明光波長制御板（５２）に蛍光灯（１０）の光を照射して透過させることで、観賞魚用水槽（１００）の観賞面（９０）である前面を、照明光波長制御板（５２）を透過した光（６０）で照射する構成であることを特徴とする照明光波長制御具。
【請求項２】
上記記載の観賞魚用水槽に使用する照射光波長制御具であって、観賞魚用水槽に使用する当該照明光波長制御具（５０）は、水槽内前面部（５１）に複数設けた水槽保持部（５５）を、観賞魚用水槽（１００）の水槽内前面の観賞面（９０）の上部に保持して取り付けた構成であることを特徴とする請求項１記載の照明光波長制御具。
【請求項３】
前記記載の観賞魚用水槽に使用する照射光波長制御具であって、観賞魚用水槽に使用する当該照明光波長制御具（５０）は、水槽内前面部（５１）と、他方の照明光波長制御板（５２）を蝶番で固定してＬ形角度調整として設けて、水槽内前面部（５１）は複数設けた水槽保持部（５５）により水槽内前面の観賞面（９０）の上部に保持して取り付けて、他方の照明光波長制御板（５２）は角度を手動で自在に調整できるように設けて、蛍光灯（１０）より照明光波長制御板（５２）を照射して透過した光（６０）が水槽内前面と観賞面（９０）の底に届くように角度を調整できるように設けた構成であることを特徴とする請求項１記載の照明光波長制御具。
【請求項４】
前記記載の観賞魚用水槽に使用する照射光波長制御具であって、観賞魚用水槽に使用する当該照明光波長制御具（５０）は、波長によって植物類に与える光合成に影響を及ぼすので照明装置（２０）の蛍光灯（１０）の照射する光に植物の育成に、あるいは、障害となる波長を得るための色彩板として低発泡の黒色・紫色・青色・水色・青緑色・緑色・橙色・赤色等のポリエチレン板、あるいは、黒色・紫色・青色・水色・青緑色・緑色・橙色・赤色等のアクリル板を用いてＬ形固定に成形加工して、あるいは、水槽内前面部（５１）と、照明光波長制御板（５２）を蝶番で固定して自在に角度を調整できるＬ形角度調整として設けた構成であることを特徴とする請求項１〜３いずれか記載の照明光波長制御具。
【発明の詳細な説明】
【技術分野】
【０００１】  本発明は、観賞魚用水槽内の壁面に着生する藻（苔）を、光合成作用を利用して抑制する観賞魚用水槽に使用する照明光波長制御具に関する。
【背景技術】
【０００２】  従来の観賞魚用や、水生植物栽培のための水槽用の照明装置は、発光ダイオードを用いて、５００〜６００ｎｍにピークをもつ緑色光を発光する光源を有する照明装置１２、１３は特にコーナ部を照らしている。照明装置１２、１３は水槽内１１に配置することも出来る（例えば、特許文献１参照）。【０００３】  藻類の発生を抑制できると共に、観賞する人に不自然なイメージを与えずに水槽内を美しく照らすことができる観賞用水槽の照明装置は、６００ｎｍ以上の波長域における相対発光強度が１０％以下の水色光を放射する光源３ａを設け、光源は４５０〜４８０ｎｍと、５００〜５３０ｎｍにそれぞれピーク発光波長を有するＬＥＤから成り、藻類が光合成するのに最も必要な赤色光を欠いた水色光によって水槽内を照らす照明装置３とした（例えば、特許文献２参照）。
【先行技術文献】
【特許文献】
【０００４】
【特許文献１】  特開２００３−１６９５６６号  公報
【特許文献２】  実登第３１４６９０６号  公報
【発明の概要】
【発明が解決しようとする課題】
【０００５】  従来から観賞魚用水槽に着生した藻あるいは苔が繁殖、成長して観賞魚がよく見えなくなると観賞魚用水槽をブラシやヘラで擦り取ること、また、市販されている薬剤の効果は３週間から１ケ月程度のため再投入の費用や管理が面倒である。
観賞魚用水槽で水草の生育を阻害せずに藻をいかに発生させないかは重要な課題である。【０００６】  発光ダイオード（ＬＥＤ）が発売されて以来は緑色光や水色光のＬＥＤを使用した光源３ａあるいは、照明装置１２、１３が提案されている（特許文献１）。【０００７】  発光ダイオードを用い５００〜６００ｎｍにピークをもつ緑色光を発光する光源を有する照明装置１２、１３と（特許文献１）、同様にＬＥＤを用いて、６００ｎｍ以上の波長域における相対発光強度が１０％以下の水色光を放射する光源３ａを設け、光源は４５０〜４８０ｎｍと、５００〜５３０ｎｍにそれぞれピーク発光波長を有することで藻類の発生を抑制する観賞魚用水槽が提案されている（特許文献２）。【０００８】  提案されている照明装置１２、１３あるいは光源３ａは、従来型の蛍光灯を使用した照明装置と共に、照明装置１２、１３あるいは光源３ａを重複使用するか、従来型の蛍光灯の照明装置は共に使用することは好ましくないので、照明装置１２、１３あるいは光源３ａを従来型の蛍光灯の照明装置に置き換えたときは従来型の蛍光灯の照明装置を取り除くことになる。【０００９】  波長によって植物類に与える光合成は波長によって以下の影響を与えることが知られている。
波長４００ｎｍ以下：紫外線では、徒長を防ぐことができる。
波長４００〜５００ｎｍ：青〜水色・青緑色では、藻が発生する危険がある。
波長５００〜６００ｎｍ：緑色では、藍藻類や紅藻類（黒髭藻）が光合成に利用される。
波長６００〜７００ｎｍ：橙〜赤色では、水草の光合成に最も有効である。
波長７００〜１０００ｎｍ未満：赤外線では、エマーソン効果によって間接的に光合成効果がアップされる。光合成を高めるには６００〜１０００ｎｍ未満の光が非常に有効である。
照明装置の蛍光灯から照射する上記記載の波長を黒色・紫色・青色・水色・青緑色・緑色・橙色・赤色の低発泡緑色ポリエチレン板、あるいは、黒色・紫色・青色・水色・青緑色・緑色・橙色・赤色のアクリル板を観賞魚用水槽の照明光波長制御具として使用しようとするものである。
例えば、観賞魚用水槽の全体を緑色（波長５００〜６００ｎｍ）の波長制御具を用いて光を透過させると観賞魚用水槽に必要とする水草も育たない。
また、水色（波長４００〜５００ｎｍ）光の照明光波長制御具を用いて光を透過させると観賞魚用水槽に必要とする水草も育つが多くの種類の藻も育つことになる。
従来型の蛍光灯を使用した照明装置を用いて、藻の育成に障害となる波長に適合した色彩板を設けて、照射光を透過させて観賞魚用水槽の藻を抑制して、水草の育成には蛍光灯の直接の照射が行なわれる観賞魚用水槽の照明光波長制御具を提供することを目的とする。
【課題を解決するための手段】
【００１０】  観賞魚用水槽内の壁面に着生する藻（苔）を、光合成作用を利用して抑制する観賞魚用水槽に使用する照明光波長制御具であって、当該照明光波長制御具５０は、藻の育成に障害となる波長５００〜６００ｎｍを得るための低発泡緑色ポリエチレン板あるいは、緑色アクリル板をＬ形固定に成形加工して観賞魚用水槽に使用する照明光波長制御具５０として設けた。当該Ｌ形に固定した観賞魚用水槽に使用する照明光波長制御具５０は、Ｌ形固定の一方を水槽内前面部５１と、他方を照明光波長制御板５２して設けた。水槽内前面部５１を観賞魚用水槽１００の観賞面９０の前面上部に保持して取り付け、他方の照明光波長制御板５２に蛍光灯１０の光を照射して透過させることで、観賞魚用水槽１００の観賞面９０である前面を、照明光波長制御板５２を透過した光６０で照射する構成の照明光波長制御具である。【００１１】  また、第２の解決手段は、請求項１の観賞魚用水槽に使用する照明光波長制御具であって、観賞魚用水槽に使用する当該照明光波長制御具５０は、水槽内前面部５１に複数設けた水槽保持部５５を、観賞魚用水槽１００の水槽内前面の観賞面９０の上部に保持して取り付けた構成の照明光波長制御具である。【００１２】  また、第３の解決手段は、請求項１の観賞魚用水槽に使用する照明光波長制御具であって、観賞魚用水槽に使用する当該照明光波長制御具５０は、水槽内前面部５１と、他方の照明光波長制御板５２を蝶番で固定してＬ形角度調整として設けた。水槽内前面部５１は複数設けた水槽保持部５５により水槽内前面の観賞面９０の上部に保持して取り付ける。
他方の照明光波長制御板５２は角度を手動で自在に調整できるように設けてある。蛍光灯１０より照明光波長制御板５２を照射して透過した光６０が水槽内前面と観賞面９０の底に届くように角度を調整できるように設けた構成の照明光波長制御具である。【００１３】  また、第４の解決手段は、請求項１の観賞魚用水槽に使用する照明光波長制御具であって、観賞魚用水槽に使用する当該照明光波長制御具５０は、波長によって植物類に与える光合成に影響を及ぼすので照明装置２０の蛍光灯１０より照射する光に植物の育成と、あるいは障害となる波長を得るための透過色彩板として低発泡の黒色・紫色・青色・水色・青緑色・緑色・橙色・赤色等のポリエチレン板、あるいは、黒色・紫色・青色・水色・青緑色・緑色・橙色・赤色等のアクリル板を用いてＬ形固定に成形加工して、あるいは、水槽内前面部５１と、照明光波長制御板５２を蝶番で固定して自在に角度を調整できるＬ形角度調整として設けた構成の照明光波長制御具である。
【発明の効果】
【００１４】  観賞魚用水槽内の壁面に着生する藻（苔）を、光合成作用を利用して抑制する観賞魚用水槽に使用する照明光波長制御具であって、当該照明光波長制御具は、藻の育成に障害となる波長５００〜６００ｎｍを得るための低発泡緑色ポリエチレン板あるいは、緑色アクリル板をＬ形固定に成形加工して観賞魚用水槽に使用する照明光波長制御具として設けた。当該Ｌ形に固定した観賞魚用水槽に使用する照明光波長制御具は、Ｌ形固定の一方を水槽内前面部と、他方を照明光波長制御板として設けた。水槽内前面部を観賞魚用水槽の観賞面の前面上部に保持して取り付け、他方の照明光波長制御板に蛍光灯の光を照射して透過させることで、観賞魚用水槽の観賞面である前面を、照明光波長制御板を透過した光で照射する構成の照明光波長制御具であるので、低発泡緑色ポリエチレン板をＬ形に固定して設けることで従来型の蛍光灯を使用した照明装置の全てに簡単に利用ができる。
光合成を利用するため低発泡緑色ポリエチレン板を設けて、透過した光で実験を繰り返したが藍藻類、紅藻類（黒髭藻）の発生はなかった。
藻の育成に障害となる波長に適合した色彩の板を透過した光を観賞面の壁面だけに照射させることで観賞魚用水槽の水草の育成を阻害することなく藻の着生を制御できる安価で効果のある照明光波長制御具である。【００１５】  また、第２の解決手段は、請求項１の観賞魚用水槽に使用する照明光波長制御具であって、観賞魚用水槽に使用する当該照明光波長制御具は、水槽内前面部に複数設けた水槽保持部を、観賞魚用水槽の水槽内前面の観賞面の上部に保持して取り付けた構成の照明光波長制御具であるので、水槽内前面部に複数設けた水槽保持部を、観賞魚用水槽の水槽内前面の上部に保持して取り付けると、他方の照射光波長制御板は蛍光灯の照射を受けて透過した光は屈折率の通り進み水槽内前面の底に届くことになる。
照明装置を設けてある観賞魚用水槽は、横幅が９００ｍｍ、６００ｍｍ、３００ｍｍと既製品が多く用いられている。
例えば、横幅が６００ｍｍの観賞魚用水槽では当該照明光波長制御具は、低発泡緑色ポリエチレン板では、厚さ２．４ｍｍで、水槽内前面部の縦寸法は３０ｍｍ×横寸法は５８０〜５９０ｍｍで、照明光波長制御板は、４０ｍｍ×５８０〜５９０ｍｍ程度である。
観賞魚用水槽の観賞面の底まで透過した光が到達する。【００１６】  また、第３の解決手段は、請求項１の観賞魚用水槽に使用する照明光波長制御具であって、観賞魚用水槽に使用する当該照明光波長制御具は、水槽内前面部と、他方の照明光波長制御板を蝶番で固定してＬ形角度調整として設けた。水槽内前面部は複数設けた水槽保持部により水槽内前面の観賞面の上部に保持して取り付ける。他方の照明光波長制御板は角度を手動で自在に調整できるように設けてある。蛍光灯より照明光波長制御板を照射して透過した光が水槽内前面と観賞面の底に届くように角度を調整できるように設けた構成の照明光波長制御具であるので、照射光波長制御板の角度を手動で自在に調整できるので透過させた光が水槽内前面と観賞面の底に届くための調整が簡単にできる優れものである。【００１７】  また、第４の解決手段は、請求項１の観賞魚用水槽に使用する照明光波長制御具であって、観賞魚用水槽に使用する当該照明光波長制御具は、波長によって植物類に与える光合成に影響を及ぼすので照明装置の蛍光灯より照射する光に植物の育成と、あるいは障害となる波長を得るための色彩板として低発泡の黒色・紫色・青色・水色・青緑色・緑色・橙色・赤色等のポリエチレン板、あるいは、黒色・紫色・青色・水色・青緑色・緑色・橙色・赤色等のアクリル板を用いてＬ形固定に成形加工して、あるいは、水槽内前面部と、照明光波長制御板を蝶番で固定して自在に角度を調整できるＬ形角度調整として設けた構成の照明光波長制御具であるので、アクアリュウム水中内の植物の育成あるいは障害に適した波長の色彩別の板を自在に組み合わせて水中植物の育成と障害に手軽に寄与することができる。また、観賞魚用水槽の多くに使用されている蛍光灯の照明装置を破棄することなく照射光波長制御具を取り付けられるので安価で、波長を簡単に選びアクアリュウムの管理に効果が上がる優れものである。
【図面の簡単な説明】
【００１８】
【図１】本発明の観賞魚用水槽に使用する照明光波長制御具の使用状態を側面から示した図である。
【図２】図１の観賞魚用水槽に使用するＬ形固定の照明光波長制御具の斜視図を示した図である。
【図３】図１の観賞魚用水槽に使用する照明光波長制御具の使用の一例を正面から示した図である。
【図４】本発明の観賞魚用水槽に使用する照明光波長制御具で角度調整ができる照明光波長制御板の斜視図を示した図である。
【図５】本発明の観賞魚用水槽に使用する照明光波長制御具で角度調整ができる使用例を側面から示した図である。
【図６】本発明の観賞魚用水槽に使用する照明光波長制御具のＬ形固定の他の使用例を側面から示した図である。
【発明を実施するための形態】
【００１９】    以下、本発明の実施の形態を図１〜図６に基づいて説明する。
【実施例】
【００２０】    図１は、本発明の観賞魚用水槽に使用する照明光波長制御具の使用状態を側面から示した図である。
本発明は、観賞魚用水槽内の壁面に着生する藻（苔）を、光合成作用を利用して抑制する観賞魚用水槽に使用する照明光波長制御具であって、波長によって植物に与える光合成は以下の影響を与えることが知られている。
波長４００ｎｍ以下：紫外線では、徒長を防ぐことができる。
波長４００〜５００ｎｍ：青〜水色・青緑色では、藻が発生する危険がある。
波長５００〜６００ｎｍ：緑色では、藍藻類や紅藻類（黒髭藻）が光合成に利用される。
波長６００〜７００ｎｍ：橙〜赤色では、水草の光合成に最も有効である。
波長７００〜１０００ｎｍ未満：赤外線では、エマーソン効果によって間接的に光合成効果がアップされる。光合成を高めるには６００〜１０００ｎｍ未満の光が非常に有効であるので、照明装置の蛍光灯の光を各種色彩版に照射して透過した光は上記記載の波長を得るために低発泡の黒色・紫色・青色・水色・青緑色・緑色・橙色・赤色等のポリエチレン板あるいは、黒色・紫色・青色・水色・青緑色・緑色・橙色・赤色等のアクリル板を選択して観賞魚用水槽に使用する照明光波長制御具５０として設けた。
例えば、観賞魚用水槽１００の全体を緑色の照明光波長制御具５０を選択して光を透過させると観賞魚用水槽１００に必要とする水草も育たない。
また、水色光の照明光波長制御具５０を選択して光を透過させると観賞魚用水槽１００に必要とする水草も育つが多くの種類の藻も育つことになる。
従来型の蛍光灯１０を使用した照明装置２０を用いて、藻の育成に障害となる波長に適合した色彩板を選択して透過させることで観賞魚用水槽１００の藻を抑制して、水草を育成できる構成の照明光波長制御具である。【００２１】  図１は観賞魚用水槽１００の側面図を示している。観賞魚用水槽１００の配置は標準型で、９０は観賞面である。観賞魚用水槽１００の上部に蛍光灯１０を用いた照明装置２０が設けてある。また、通常の循環型ポンプ装置３０を設けて観賞魚用水槽１００の水４０は循環している。
観賞魚用水槽内の壁面に着生する藻（苔）を、光合成作用を利用して抑制する観賞魚用水槽の照明光波長制御具であって、藻の育成に障害となる波長５００〜６００ｎｍを得るための低発泡緑色ポリエチレン板あるいは、緑色アクリル板をＬ形固定に成形加工して観賞魚用水槽に使用する照明光波長制御具５０として設けた。
当該Ｌ形固定に成形加工して設けた観賞魚用水槽に使用する照明光波長制御具５０の水槽内前面部５１と、照明光波長制御板５２は、観賞魚用水槽１００の照明装置２０の下部、蛍光灯１０に照射されるように観賞面９０の上部に保持され取り付けられる。
当該照明光波長制御板５２の寸法は、蛍光灯１０を照射して透過した光６０が水槽内前面と観賞面９０の底に届く寸法に設けてある。
透過した光６０とは、図１では、低発泡緑色ポリエチレン板からＬ形固定に成形加工された照明光波長制御板５２である。当該照明光波長制御板５２は蛍光灯１０に照射され透過した光６０は点線で示した水槽内前面と観賞面９０の底に届く範囲を照射される。
波長５００〜６００ｎｍは、藍藻類や紅藻類（黒髭藻）が光合成に利用されることになっているので、注意深く実験を繰り返し観察したが藍藻類や紅藻類（黒髭藻）の発生は確認できなかった。【００２２】  図２は、図１の観賞魚用水槽に使用するＬ形固定の照明光波長制御具の斜視図を示した図である。
観賞魚用水槽１００に使用される照明光波長制御具５０であって、観賞魚用水槽に使用される当該照明光波長制御具５０は、当該Ｌ形固定は一方を水槽内前面部５１と、他方は照明光波長制御板５２として設けてある。
水槽内前面部５１は設けた複数の水槽保持部５５により水槽内前面の上部に保持して取り付けられる。
他方の照明光波長制御板５２は蛍光灯１０から照射して透過した光６０が水槽内前面と観賞面９０底に届く寸法に設ける。
観賞魚用水槽１００の大きさにより照明光波長制御具５０の寸法は異なる。
観賞面９０と水槽内前面部５１は同寸で、当該照明光波長制御板５２の寸法は、蛍光灯１０を照射して透過させた光６０が水槽内前面と観賞面９０の底に届く寸法に設ける構成である。照明装置２０を設けてある観賞魚用水槽１００は、横幅が９００ｍｍ、６００ｍｍ、３００ｍｍとして既製品が販売されている。具体例では、横幅が６００ｍｍの観賞魚用水槽１００の照明装置２０の蛍光灯１０は２０形の昼光色で長さが５５０ｍｍである。
例えば、横幅が６００ｍｍの観賞魚用水槽に使用するＬ形固定の照明光波長制御板５２の低発泡緑色ポリエチレン板の外形寸法は、厚さ２．４ｍｍで、水槽内前面部５１の縦寸法は３０ｍｍ×横寸法は５８０〜５９０ｍｍで、照明光波長制御板５２の縦横寸法は、４０ｍｍ×５８０〜５９０ｍｍ程度である。
また、水槽保持部５５は磁石を用いて観賞魚用水槽１００の水槽内前面の観賞面９０の上部に磁石を用いて磁気で吸着保持して取り付けてもよい。【００２３】  図３は、図１の観賞魚用水槽に使用する照明光波長制御具の使用の一例を正面から示した図である。
観賞魚用水槽に使用する当該照明光波長制御具５０は、当該Ｌ形固定の一方は水槽内前面部５１と、他方は波長制御板５２として設けてある。
観賞魚用水槽１００の正面の観賞面９０に藻が着生しないように、照明装置２０の蛍光灯１０の照射光に藻の育成に障害となる色彩板を設け透過させた光６０で藻の育成に障害となるように波長５００〜６００ｎｍを得るための色彩板を使用した。
水草は蛍光灯１０の照射で通常に育成する。
水槽内前面部５１は長方形であって、設けた複数の水槽保持部５５を保持して取り付けるとき水槽内前面部５１の上部に蛍光灯１０の照射光が観賞面９０の外に漏れないようにする。【００２４】    図４は、本発明の観賞魚用水槽に使用する照明光波長制御具で角度調整ができる照明光波長制御板の斜視図を示した図である。
観賞魚用水槽に使用する照明光波長制御具であって、観賞魚用水槽に使用する当該照明光波長制御具５０は、Ｌ形角度調整の一方は水槽内前面部５１と、他方の照明波長制御板５２を蝶番で固定して設けた。
水槽内前面部５１は長方形であって、複数設けた水槽保持部５５により水槽内前面部５１の上部に保持して取り付ける。他方の照明光波長制御板５２は長方形で、長い方は水槽内前面部５１と概略同寸で、短い方の光を透過させる照明光波長制御板５２は、蛍光灯１０の照射した光で水槽内全部を透過した光６０で照射できるようにＬ形固定より１倍〜１．５倍の寸法に設けた。
Ｌ形角度調整の照明光波長制御板５２は、角度を手動で調整できるので、水槽内に透過した光６０の照射角度を調整できる。
横幅が６００ｍｍの観賞魚用水槽１００では、Ｌ形固定の外形寸法は、照明光波長制御板５２の短いほうの寸法は、３０ｍｍ程度であるので、角度調整できる照明光波長制御板５２の短い方の寸法は、３０〜４５ｍｍ程度の寸法となる。【００２５】  図５は、本発明の観賞魚用水槽に使用する照明光波長制御具で角度調整ができる使用例を側面から示した図である。
観賞魚用水槽１００の配置は標準型で、９０は観賞面である。観賞魚用水槽１００の上部に蛍光灯１０を用いた照明装置２０を設けてある。また、通常の循環型ポンプ装置３０を設けて観賞魚用水槽１００の水４０は循環している。
観賞面９０に藻が着生しないように、照明装置２０の蛍光灯１０の照射光に藻の育成に障害となる波長を得るために選択した色彩板を透過させる。藻の育成に障害となる波長５００〜６００ｎｍを得るための色彩板は、低発泡緑色ポリエチレン板あるいは緑色アクリル板をＬ形角度調整として設けた。水草は蛍光灯１０の通常の照明光で育成する。
当該Ｌ形角度調整は観賞魚用水槽１００の照明装置２０の下部、観賞面９０の上部に水槽保持部５５により水槽内前面部５１に水平に保持して取り付けられる。
照明光波長制御板５２の寸法は、蛍光灯１０を照明光波長制御板５２に照射して透過させた光６０が水槽内前面と観賞面９０の底に届くように角度を調節できる寸法に設けたので照明光波長制御板５２の短い方は固定Ｌ形より寸法が１〜１．５倍程度長くして設けてある。
照明光波長制御板５２となる低発泡緑色ポリエチレン板あるいは緑色アクリル板は水槽内前面部５１と蝶番で接続して設けてあるので手動で照明光波長制御板５２の角度調整ができる。
照明光波長制御板５２の角度は、図では照明光波長制御板５２は下方に角度が取られている。水平にすると必要以上の領域が波長５００〜６００ｎｍの領域となる。それは水草の育成できない領域となるので照明光波長制御板５２は下方に角度を取っている。
透過した光６０とは、図５では、当該照明光波長制御板５２は蛍光灯１０に照射され透過した光６０は点線で示した水槽内前面と観賞面９０の底に届く範囲を照射される。【００２６】  図６は、本発明の観賞魚用水槽に使用する照明光波長制御具のＬ形固定の他の使用例を側面から示した図である。
観賞魚用水槽１００の配置は標準型で、９０は観賞面である。観賞魚用水槽１００の上部に蛍光灯１０を用いた照明装置２０を設けてある。また、通常の循環型ポンプ装置３０を設けて観賞魚用水槽１００の水４０は循環している。
観賞面９０に藻が着生しないように、当該照明装置２０の蛍光灯１０の照明光に藻の育成に障害となる波長の色彩板を選択して透過させる。藻の育成に障害となる波長５００〜６００ｎｍを得るための照射光を透過させる色彩板は、低発泡緑色ポリエチレン板あるいは緑色アクリル板をＬ形固定に成形加工して設けてある。水草は蛍光灯１０の通常の照明で育成する。
観賞魚用水槽に使用する当該照明光波長制御具５０のＬ形固定を照明装置２０から吊るして使用している例を側面から示した図である。Ｌ形角度調整を吊るして使用してもよい。
当該照明光波長制御板５２の寸法は、蛍光灯１０を照射して透過した光６０が水槽内前面と観賞面９０の底に届くように角度を調節できる寸法に設けてあるので吊るした長さを調節して設ける。
蛍光灯１０の照射光を透過した光６０とは、図６では、当該照明光波長制御板５２は蛍光灯１０に照射され透過した光６０は点線で示した水槽内前面と観賞面９０の底に届く範囲を照射している。【００２７】  観賞魚用水槽１００に使用する当該照明光波長制御具５０は、波長によって植物類に与える光合成に影響を及ぼすので照明装置２０の蛍光灯１０の照射光に植物の育成に、あるいは障害となる波長を得るために選択する色彩板として黒色・紫色・青色・水色・青緑色・緑色・橙色・赤色を低発泡ポリエチレン板あるいはアクリル板を用いてＬ形固定あるいは、Ｌ形角度調整に設けた観賞魚用水槽１００に使用する照明光波長制御具５０の構成である。
【産業上の利用可能性】
【００２８】  観賞魚用水槽を製造と販売する業界と、観賞魚用水槽を利用されている国内外の利用者が購入される。
【符号の説明】
【００２９】  １０  蛍光灯
２０  照明装置
３０  循環型ポンプ装置
４０  水
５０  照明光波長制御具
５１  水槽内前面部
５２  照明光波長制御板
５５  水槽保持部
６０  透過した光
９０  観賞面
１００  観賞魚用水槽
【図１】
2012039989.tif 000003
【図２】
2012039989.tif 000004
【図３】
2012039989.tif 000005
【図４】
2012039989.tif 000006
【図５】
2012039989.tif 000007
【図６】
2012039989.tif 000008